(57)【要約】【課題】収納する筆記具の長さに応じて、全長を変えることのできるペンケースを提供する。【解決手段】内側に筆記具の収納空間を有する内筒部材１２の上端側を、外筒部材１１の第１開口部１１ｃから挿入し、第１ボタン１５に前面ループ１５をかけて止めることにより、内筒部材１２を伸長位置Ｐ１に配置する。これにより、ファスナ１４を介して、長い筆記具を収納することができる。一方、さらに内筒部材１２を挿入して、第２ボタン１６に前面ループ１１ｄをかけて止めることにより、内筒部材１２を短縮位置に配置して、短い筆記具を収納するのに好適な長さにすることができる。【選択図】図１
0003140864.tif 000002
【実用新案登録請求の範囲】
【請求項１】
収納する筆記具の長さに応じて、全長を変更し得るペンケースにおいて、
一方の端部に第１閉鎖部を有し、他方の端部に第１開口部を有する外筒部材と、
一方の端部に第２閉鎖部を有し、他方の端部に第２開口部を有し、内側にファスナを介して筆記具が出し入れされる収納空間を有するとともに、前記第２開口部側が前記外筒部材の前記第１開口部から出し入れされて短縮位置と伸長位置とをとる内筒部材と、
一方の端部が前記第２開口部の周縁部に連結されるとともに他方の端部が前記外筒部材の内面に連結される筒状で布状の連結部材であって、前記内筒部材が前記短縮位置に配置されるのに対応して前記外筒部材の内側に押し込まれ、前記内筒部材が前記伸長位置に配置されるのに対応して引き延ばされて前記収納空間に連通する補助収納空間を形成する連結部材と、
前記外筒部材と前記内筒部材とに配設されて、前記内筒部材を前記短縮位置に保持する第１係止具と前記伸長位置に保持する第２係止具と、を備える、
ことを特徴とするペンケース。
【請求項２】
前記短縮位置に配置された前記内筒部材を、さらに前記外筒部材の前記第１開口部から突出している部分を折り込んで前記外筒部材の内側に収納した状態を折りたたみ位置とすると、前記外筒部材と前記内筒部材とに前記内筒部材を前記折りたたみ位置に保持する第３係止具を有する、
ことを特徴とする請求項１に記載のペンケース。
【請求項３】
前記内筒部材の側部から前記第２閉鎖部を横切るようにして前記ファスナが設けられている、
ことを特徴とする請求項１又は２に記載のペンケース。
【請求項４】
前記外筒部材をキャラクタの胴体と見立て、前記外筒部材の前記第１閉鎖部に前記キャラクタの頭部を有する、
ことを特徴とする請求項１ないし３のいずれか１項に記載のペンケース。
【請求項５】
前記外筒部材に前記キャラクタの腕を設けた、
ことを特徴とする請求項４に記載のペンケース。
【請求項６】
前記頭部及び前記腕は、スポンジ状の中綿を布でくるんだぬいぐるみ状に形成されている、
ことを特徴とする請求項５に記載のペンケース。
【請求項７】
前記内筒部材が前記折りたたみ位置に配置された状態において、前記外筒部材の前記第１開口部を載置面に載置することにより、全体が直立姿勢をとる、
ことを特徴とする請求項６に記載のペンケース。
【考案の詳細な説明】
【技術分野】
【０００１】
本考案は、筆記具の長さに応じて全長を変更し得るペンケースに関する。
【背景技術】
【０００２】
鉛筆，万年筆，ボールペン，シャープペンシル等の筆記具を収納するペンケースは、使用する人や使用目的に応じて、種々の長さのものが販売されている。
【０００３】
例えば、小学校の低学年が使用するペンケースは、おろしたての鉛筆を削ってキャップをするため全体の長さが長くなり、これを収納するペンケースの全長が長くなる（例えば、特許文献１参照）。
【０００４】
一方、例えば、ＯＬ等が使用する筆記具は、万年筆等、比較的短いものが多く、これを収納するペンケースも全長が短くなる。
【特許文献１】登録実用新案第３０８３７９２号
【考案の開示】
【考案が解決しようとする課題】
【０００５】
しかしながら、上述の全長の短いペンケースには、おろしたてのキャップ付きの鉛筆を収納することはできず、一方、全長の長いペンケースは、例えば、ＯＬ等がバッグに入れて持ち歩くには嵩張るため不自由である。
【０００６】
そこで、本考案は、収納する筆記具に合わせて全長を変えることのできるペンケースを提供することを目的とするものである。
【課題を解決するための手段】
【０００７】
請求項１に係る考案は、収納する筆記具の長さに応じて、全長を変更し得るペンケースに関する。この考案に係るペンケースは、一方の端部に第１閉鎖部を有し、他方の端部に第１開口部を有する外筒部材と、一方の端部に第２閉鎖部を有し、他方の端部に第２開口部を有し、内側にファスナを介して筆記具が出し入れされる収納空間を有するとともに、前記第２開口部側が前記外筒部材の前記第１開口部から出し入れされて短縮位置と伸長位置とをとる内筒部材と、一方の端部が前記第２開口部の周縁部に連結されるとともに他方の端部が前記外筒部材の内面に連結される筒状で布状の連結部材であって、前記内筒部材が前記短縮位置に配置されるのに対応して前記外筒部材の内側に押し込まれ、前記内筒部材が前記伸長位置に配置されるのに対応して引き延ばされて前記収納空間に連通する補助収納空間を形成する連結部材と、前記外筒部材と前記内筒部材とに配設されて、前記内筒部材を前記短縮位置に保持する第１係止具と前記伸長位置に保持する第２係止具と、を備える、ことを特徴としている。
【０００８】
請求項２に係る考案は、請求項１に係るペンケースにおいて、前記短縮位置に配置された前記内筒部材を、さらに前記外筒部材の前記第１開口部から突出している部分を折り込んで前記外筒部材の内側に収納した状態を折りたたみ位置とすると、前記外筒部材と前記内筒部材とに前記内筒部材を前記折りたたみ位置に保持する第３係止具を有する、ことを特徴としている。
【０００９】
請求項３に係る考案は、請求項１又は２に記載のペンケースにおいて、前記内筒部材の側部から前記第２閉鎖部を横切るようにして前記ファスナが設けられている、ことを特徴としている。
【００１０】
請求項４に係る考案は、請求項１ないし３のいずれか１項に係るペンケースにおいて、前記外筒部材をキャラクタの胴体と見立て、前記外筒部材の前記第１閉鎖部に前記キャラクタの頭部を有する、ことを特徴としている。
【００１１】
請求項５に係る考案は、請求項４に係るペンケースにおいて、前記外筒部材に前記キャラクタの腕を設けた、ことを特徴としている。
【００１２】
請求項６に係る考案は、請求項５に係るペンケースにおいて、前記頭部及び前記腕は、スポンジ状の中綿を布でくるんだぬいぐるみ状に形成されている、ことを特徴とする。
【００１３】
請求項７に係る考案は、請求項６に記載のペンケースにおいて、前記内筒部材が前記折りたたみ位置に配置された状態において、前記外筒部材の前記第１開口部を載置面に載置することにより、全体が直立姿勢をとる、ことを特徴としている。
【考案の効果】
【００１４】
請求項１の考案によると、内筒部材を、外筒部材の第１開口部から押し入れて連結部材を押し込んで短縮位置に配置すると、筆記具を収納する収納空間の長さは、ほぼ内筒部材の長さと同じになって短くなる。一方、内筒部材を、外筒部材の第１開口部から引き出して連結部材を引き延ばして伸長位置に配置すると、収納空間の長さは、内筒部材の長さに、さらに連結部材の補助空間の長さが加わるので長くなる。そして、内筒部材は、第１係止具によって短縮位置に保持し、また第２係止具によって伸長位置に保持することができ、それぞれの位置において、ファスナを介して筆記具を収納することができる。
【００１５】
請求項２の考案によると、内筒部材における、外筒部材の第１開口部から突出している部分を折り込んで外筒部材の内側に収納して、内筒部材を第３位置に配置して第３係止具で止めることにより、全体の全長をさらに短くすることができる。つまり、筆記具を収納したに状態においては、第３係止具で止めることにより、一層、コンパクトにすることができる。
【００１６】
請求項３の考案によると、ファスナが内筒部材の側部から第２閉鎖部を横切るようにして設けてあるので、ファスナを全開にすることにより、内筒部材の内側の収納空間に対して、筆記具を容易に出し入れすることができる。
【００１７】
請求項４の考案によると、外筒部材の第１閉鎖部にキャラクタの頭部を設けることで、人形を模すことができる。
【００１８】
請求項５の考案によると、さらに外筒部材にキャラクタの腕を設けることで、さらに、人形を模すことができる。
【００１９】
請求項６の考案によると、筆記具を収納することはもちろん、ぬ着ぐるみとしても楽しむことができる。
【００２０】
請求項７の考案によると、ペンケース全体を人形として直立させることができる。
【考案を実施するための最良の形態】
【００２１】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００２２】
図１〜図５を参照して、本考案に係るペンケース１０について説明する。このうち、図１は、内筒部材１２が伸長位置（Ｐ１）に配置された状態のペンケース１０を右斜め上方から見た斜視図である。図２は、内筒部材１２が短縮位置（Ｐ２）に配置された状態のペンケース１０を右斜め上方から見た斜視図である。図３は、内筒部材１２が折りたたみ位置（Ｐ３）に配置された状態のペンケース１０を右斜め上方から見た斜視図である。図４は、連結部材１３と外筒部材１１とを切り離した状態を示す前側（正面側）から見て示す斜視図であり、（ａ）は連結部材１３及び内筒部材１２を示し、（ｂ）は外筒部材１１を示している。図５は、連結部材１３と外筒部材１１とを切り離した状態を示す後側（背面側）から見て示す斜視図であり、（ａ）は連結部材１３及び内筒部材１２を示し、（ｂ）は外筒部材１１を示している。
【００２３】
図１に示すように、ペンケース１０は、外筒部材１１と、内筒部材１２と、連結部材１３と、ファスナ１４と、第１係止具１５と、第２係止具１６と、第３係止具１７、頭部１８と、腕１９とを備えている。
【００２４】
外筒部材１１は、図４（ｂ），図５（ｂ）に示すように、前後方向に押しつぶしたような円筒状、すなわち左右方向の寸法に対して前後方向の寸法が短いほぼ円筒状に形成されている。外筒部材１１は、適度に剛性のある、左右方向に長いほぼ長方形状の布状部材を丸めて、その左端部と右端部とを後面側（背面側）の縫い目１１ａ（図５（ｂ）参照）で縫い合わせることで、ほぼ円筒状に形成されている。外筒部材１１の上端部は、後に、頭部１８（図１〜図３）参照）が付けられることにより閉じられて第１閉鎖部１１ｂとなり、下端部は、後述の内筒部材１２が出し入れされる第１開口部１１ｃとなる。図５（ｂ）に示すように、縫い目１１ａの下部には、第３ボタン１７が取り付けられている。おり、この第３ボタン１７は、後述する背面ループ１２ｄ（図５（ａ）参照）とともに後述する内筒部材１２を短縮位置（Ｐ２）に保持するための第２係止具を構成している。また、図４（ｂ）に示すように、外筒部材１１の前面側における左右方向の中心の下端には、前面ループ１１ｄが取り付けられている。この前面ループ１１ｄは、後述する第１ボタン１５（図４（ａ）参照）とともに第１係止具を構成し、また、後述する第２ボタン１６とともに、第２係止具を構成している。また、この前面ループ１１ｄは、前述の第３ボタン１７とともに第３係止具を構成している。
【００２５】
内筒部材１２は、図４（ｂ），図５（ｂ）に示すように、前後方向に押しつぶしたような円筒状、すなわち左右方向の寸法に対して前後方向の寸法が短いほぼ円筒状に形成されている。内筒部材１２は、適度に剛性のある、長方形状の布状部材を左端側に折り目１２ａが着くようにして２つ折りして形成されている。この状態では、上端縁と右端縁と下端縁とは開口されている。そして、右端縁の上側から下側にかけて、さらに下端縁の右側から左側にかけて、連続するようにファスナ１４が取り付けられていて、この結果、右端縁及び下端縁は、開閉可能となっている。ファスナ１４の閉鎖状態において、内筒部材１２は、その下端が第２閉鎖部１２ｂとなり、上端が第２開口部１２ｃとなる。上述のファスナ１４は、第２閉鎖部１２ｂを横切るようにして設けられている。図４（ａ）に示すように、内筒部材１２の前面側（正面側）の左右方向の中央における、上側には第１ボタン１５が取り付けられ、また下側には第２ボタン１６が取り付けられている。第１ボタン１５ａは、上述の外筒部材１１の前面ループ１１ｄとともに第１係止具を構成し、また、第２ボタン１６は、前面ループ１１ｄとともに第２係止具を構成している。内筒部材１２の上下方向の長さＬ２は、外筒部材１１の上下方向の長さＬ１よりも長く設定されていて、内筒部材１２の第２開口部１２ｃ側を外筒部材１１の第１開口部１１ｃにいっぱいに押し入れて、内筒部材１２を後述する短縮位置Ｐ２（図２参照）に配置した場合でも、内筒部材１２の下端側の第２閉鎖部１２ｂが外筒部材１１の第１開口部１１ｃから下方に突出するようになっている。
【００２６】
連結部材１３は、図４（ａ），図５（ａ）に示すように、長方形状の布状部材を丸めて後面の縫い目１３ａで縫い合わせて円筒状に形成されている。連結部材１３は、下端部（一方の端部）１３ｂが上述の内筒部材１２の第２開口部１２ｃの周縁部に縫い合わされ（連結され）、上端部（他方の端部）１３ｃが上述の外筒部材１１の第１閉鎖部１１ｂに縫い合わされる。連結部材１３の上下方向の長さＬ３は、外筒部材１１の上下方向の長さＬ１よりも短く設定されている。これにより、連結部材１３をいっぱいに延ばした場合でも、連結部材１３が外筒部材１１の第１開口部１１ｃから下方に露出して美観を損ねることがないようになっている。連結部材１３は、上述の内筒部材１２が伸長位置Ｐ１に配置された際には、ほぼ円筒状に延ばされ、その内側に、内筒部材１２内の収納空間に連続する補助収納空間（不図示）を形成するようになっている。
【００２７】
ファスナ１４は、図４（ａ）に示すように、内筒部材１２の右端縁の上側から下側にかけて、さらに第２閉鎖部１２ｂを右から左に横切るように取り付けられている。これにより、内筒部材１２が、図１に示す伸長位置Ｐ１に配置された場合も、図２に示す短縮位置Ｐ２に配置された場合でも、ファスナ１４を開けることで、内筒部材１２が大きく開口するので、内筒部材１２の内側の収納空間（不図示）に対する筆記具（不図示）の出し入れが容易となる。
【００２８】
第１係止具は、上述のように、内筒部材１２に取り付けられた第１ボタン１５と外筒部材１１に取り付けられた前面ループ１１ｄとによって構成されている。図１に示すように、外筒部材１１の第１開口部１１ｃから内筒部材１２の第２開口部１２ｃ側（図４参照）を少し挿入した状態で、第１ボタン１５に前面ループ１１ｄを引っかけて止める。これにより、内筒部材１２を伸長位置Ｐ１に配置することができる。このとき、外筒部材１１の内側に配置されている連結部材１３は、延ばされた状態にあり、連結部材１３の内側には補助収納空間が形成されている。したがって、筆記具を収納する空間は、内筒部材１２の内側に形成される収納空間と、連結部材１３の内側に形成される補助収納空間とを合わせた空間となり、長い筆記具、例えば、おろしたての鉛筆にサックを嵌めた状態のものも収納することが可能となる。
【００２９】
第２係止具は、上述のように、内筒部材１２の前面側に取り付けられた第２ボタン１６と外筒部材１１の前面側に取り付けられた前面ループ１１ｄ、及び図５に示す外筒部材１１の後面側に取り付けられた第３ボタン１７と内筒部材１２の後面側に取り付けられた後面ループ１２ｄによって構成されている。図２に示すように、外筒部材１１の第１開口部１１ｃから内筒部材１２の第２開口部１２ｃ側（図４参照）を、図１に示す状態よりもさらに挿入した状態で、前面側において第２ボタン１６に前面ループ１１ｄを引っかけて止め、さらに後面側において第３ボタン１７に後面ループ１２ｄを引っかけて止める。これにより、内筒部材１２を短縮位置Ｐ２に配置することができる。このとき、外筒部材１１の内側に配置されている連結部材１３は、押し込まれて縮んだ状態にあり、連結部材１３の内側には補助収納空間は形成されない。したがって、筆記具を収納する空間は、内筒部材１２の内側に形成される収納空間のみとなり、短い筆記具、例えば、万年筆やノック式の短いボールペン，シャープペンシル等の筆記具を収納するのに丁度よい長さとなる。
【００３０】
第３係止具１７は、上述のように、図５（ｂ）に示す第３ボタン１７と図４（ｂ）に示す前面ループ１１ｄとによって構成されている。図３に示すように、外筒部材１１の第１開口部１１ｃから、内筒部材１２の第２開口部１２ｃ側を、図４（ａ）に示す第２ボタン１６近傍で前側に２つ折りし、この２つ折りの状態で、内筒部材１２を外筒部材１１の第１開口部１１ｃから押し込む。これにより、内筒部材１２全体を外筒部材１１の内側に収納することができる。この状態で、第３ボタン１７に前面ループ１１ｄを引っかけて、外筒部材１１の第１開口部１１ｃを閉鎖する。これにより、内筒部材１２を折りたたみ位置Ｐ３に配置することができる。この折りたたみ位置Ｐ３は、筆記具を収納したいときの位置である。このように、内筒部材１２を折りたたみ位置Ｐ３に配置した場合には、ペンケース１０の長さを、短縮位置Ｐ２よりもさらに短くして全体をコンパクトに構成することができる。
【００３１】
この状態においては、外筒部材１１の第１開口部１１ｃを机等の載置面に載せることで、ペンケース１０全体を自立させることができる。これにより、後述する頭部１８や腕１９を付けて、ペンケース１０全体を人形に模した場合に、ペンケース１０をぬいぐるみ（置き人形）として机上に立てることが可能となる。さらに、外筒部材１１と折りたたまれた内筒部材１２との間に手の指を挿入することで、ペンケース１０を指人形として使用することもできる。
【００３２】
頭部１８は、上述の外筒部材１１を胴部と見立てて、その第１閉鎖部１１ｂに取り付ける。頭部１８は、スポンジ状の中綿を布でくるんだ「フカフカの」ぬいぐるみ状に形成されている。
【００３３】
腕１９は、外筒部材１１の左側及び右側の上部に取り付ける。腕１９は、頭部１８と同様、スポンジ状の中綿を布でくるんだ「フカフカの」ぬいぐるみ状に形成されている。
このように、頭部１８や腕１９を取り付けることにより、ペンケース１０全体をぬいぐるみの人形と見立てることができる。なお、頭部１８や腕１９や全体を、キャラクタによって構成することにより、購買者の購買意欲を高めることができる。
【００３４】
以上説明したように、ペンケース１０は、図１に示す、内筒部材１２を伸長位置Ｐ１に配置した状態においては、筆記具の収納空間が長くなるので、長い筆記具を収納することが可能となり、図２に示す、内筒部材１２を短縮位置Ｐ２に配置した状態のおいては、筆記具の収納空間が短くなってコンパクトになるので、万年筆等を収納して、さらにバッグ等に入れて持ち歩くのに好適となる。そして、図３に示す、内筒部材１２を折りたたみ位置Ｐ３に配置した状態においては、筆記具を収納しないで、ぬいぐるみ、置き人形、指人形として楽しむことができる。
【００３５】
以上の説明では、ペンケース１０は、頭部１８や腕１９を取り付けることにより、ぬいぐるみとしても楽しめるように構成したが、例えば、コンパクト性を追求する場合には、これら頭部１８や腕１９は割愛するようにしてもよい。
【００３６】
また、以上の説明では、外筒部材１１や内筒部材１２を、適度に剛性のある布状部材によって構成する場合を例に説明したが、これに代えて、例えば、ビニール等の合成樹脂製品によって構成するようにしてもよい。
【００３７】
また、以上の説明では、第１係止具、第２係止具、第３係止具を、ボタンとループとの組み合わせによって構成した例を説明したが、これに代えて、例えば、スナップボタンや、フックとループとの組み合わせ等によって構成することもできる。
【００３８】
また、以上の説明では、筆記具を収納する際の長さ調整としては、第１係止具と第２係止具とを使用した２段階である場合を説明したが、同様の係止具をさらに追加することにより、３段階以上の長さ調整を行うことも可能となる。
【図面の簡単な説明】
【００３９】
【図１】内筒部材が伸長位置に配置された状態のペンケースを右斜め上方から見た斜視図である。
【図２】内筒部材が短縮位置に配置された状態のペンケースを右斜め上方から見た斜視図である。
【図３】内筒部材が折りたたみ位置に配置された状態のペンケースを右斜め上方から見た斜視図である。
【図４】連結部材と外筒部材とを切り離した状態を示す前側から見て示す斜視図であり、（ａ）は連結部材及び内筒部材を示し、（ｂ）は外筒部材を示している。
【図５】連結部材と外筒部材とを切り離した状態を示す後側から見て示す斜視図であり、（ａ）は連結部材及び内筒部材を示し、（ｂ）は外筒部材を示している。
【符号の説明】
【００４０】
１０        ペンケース
１１        外筒部材
１１ｂ      第１閉鎖部
１１ｃ      第１開口部
１２        内筒部材
１２ｂ      第２閉鎖部
１２ｃ      第２開口部
１３        連結部材
１３ｂ      下端部（一方の端部）
１３ｃ      上端部（他方の端部）
１４        ファスナ
１５        第１ボタン（第１係止具）
１６        第２ボタン（第２係止具）
１７        第３ボタン（第３係止具）
１８        頭部
１９        腕
Ｐ１        伸長位置
Ｐ２        短縮位置
Ｐ３        折りたたみ位置
【図１】
0003140864.tif 000003
【図２】
0003140864.tif 000004
【図３】
0003140864.tif 000005
【図４】
0003140864.tif 000006
【図５】
0003140864.tif 000007